(57)【要約】  【課題】  シート状の本体の状態を自己認識することのできるシート状デバイスを提供する。  【解決手段】  シート状デバイス１は、複数の部分エリア４を有するシート状の本体２と、複数の部分エリア４の各々に設けられた複数のアンテナユニット５と、複数のアンテナユニット５の各々に設けられた複数のアンテナ用タグ装置６を備える。複数の部分エリア４が互いに重ねられると、アンテナユニット５がアンテナ用タグ装置６のアンテナ識別情報を読み取り、制御ユニット３の認識部７は、そのアンテナ識別情報に基づいて部分エリア４の重なり状態を認識する。【選択図】  図１
2009159436.tif 000002
【特許請求の範囲】
【請求項１】
平面上で互いに異なる位置に配置された複数の部分エリアを有するシート状の本体と、
前記複数の部分エリアの各々に設けられた複数のアンテナユニットと、
前記複数のアンテナユニットの各々に設けられ、前記アンテナユニットを識別するためのアンテナ識別情報を有する複数のアンテナ用タグ装置と、
複数の前記部分エリアが互いに重ねられているときに、前記アンテナユニットにより読み取られた前記アンテナ識別情報に基づいて、前記部分エリアの重なり状態を認識する重なり状態認識部を備えた制御ユニットと、
を備えたシート状デバイス。
【請求項２】
前記シート状の本体は、折畳み可能であり、
前記制御ユニットは、前記本体が折り畳まれているときに、前記アンテナユニットにより読み取られた前記アンテナ識別情報に基づいて、前記本体の折畳み状態を認識する折畳み状態認識部を備えたことを特徴とする請求項１に記載のシート状デバイス。
【請求項３】
前記シート状の本体は、前記本体を折り畳むことによって収納物を収納することが可能であり、前記収納物には、前記収納物を識別するための収納物識別情報を有する収納物用タグ装置が備えられており、
前記制御ユニットは、前記本体に前記収納物が収納されているときに、前記アンテナユニットにより読み取られた前記アンテナ識別情報および前記収納物識別情報に基づいて、前記本体に前記収納物が収納された状態を認識する収納状態認識部を備えたことを特徴とする請求項２に記載のシート状デバイス。
【請求項４】
前記シート状の本体は、前記本体を折り畳むことによって手さげ鞄の形状に変形することが可能であり、
前記シート状の本体には、折り畳み状態のときに前記手さげ鞄の形状を保持するための手さげ形状保持部と、手さげ用の取手部が設けられたことを特徴とする請求項３に記載のシート状デバイス。
【請求項５】
前記シート情報の本体は、前記本体を折り畳むことによって肩掛け風呂敷の形状に変形することが可能であり、
前記シート状の本体には、折り畳み状態のときに前記肩掛け風呂敷の形状を保持するための肩掛け形状保持部と、前記肩掛け風呂敷の形状の前記本体の両端を留める肩掛け用のストッパー部が設けられたことを特徴とする請求項３に記載のシート状デバイス。
【請求項６】
前記シート状の本体は、前記本体を折り畳むことによって対象物を隠すことが可能であり、前記対象物には、前記対象物を識別するための対象物識別情報を有する対象物用タグ装置が備えられており、
前記制御ユニットは、
前記本体によって前記対象物が隠されているときに、前記アンテナユニットにより読み取られた前記アンテナ識別情報および前記対象物識別情報に基づいて、前記本体に前記対象物が隠された状態を認識する隠し状態認識部と、
前記本体によって隠された前記対象物を取り出すためのユーザからの許可要求を受け付ける許可要求受付部と、
前記本体によって隠された前記対象物が前記許可要求なく取り出されたときにアラームを通知するためのアラーム通知部と、
を備えたことを特徴とする請求項２に記載のシート状デバイス。
【発明の詳細な説明】
【技術分野】
【０００１】
本発明は、自己の状態を認識する機能を備えたシート状デバイスに関する。
【背景技術】
【０００２】
従来、シート状の本体にアンテナが設けられたシート状デバイスとして、商品監視システム用ゲートが提案されている（例えば特許文献１参照）。従来の商品監視システム用ゲートは、ＲＦＩＤタグを取り付けた商品が通過する通路に沿って設置される。シート状の本体は柔軟性を有しており、商品がゲートを通過するときに、アンテナはシート状の本体とともに変形する。そして、商品がゲートを通過すると、その商品のＲＦＩＤタグの情報がアンテナによって読み取られる。商品監視システムでは、このようにして読み取った情報に基づいて、商品の管理が行われる。
【特許文献１】特開２００７−１１６５５１号公報（第４−９頁、第１図）
【発明の開示】
【発明が解決しようとする課題】
【０００３】
従来のシート状デバイスは、ゲートを通過する商品の情報を読み取るためのアンテナとしての機能を備えているが、近年、他の機能を備えた新しいシート状デバイスの開発が望まれている。
【０００４】
本発明は、上記の課題に鑑みてなされたもので、自己の状態を認識することのできるシート状デバイスを提供することを目的とする。
【課題を解決するための手段】
【０００５】
本発明のシート状デバイスは、平面上で互いに異なる位置に配置された複数の部分エリアを有するシート状の本体と、前記複数の部分エリアの各々に設けられた複数のアンテナユニットと、前記複数のアンテナユニットの各々に設けられ、前記アンテナユニットを識別するためのアンテナ識別情報を有する複数のアンテナ用タグ装置と、複数の前記部分エリアが互いに重ねられているときに、前記アンテナユニットにより読み取られた前記アンテナ識別情報に基づいて、前記部分エリアの重なり状態を認識する重なり状態認識部を備えた制御ユニットと、を備えている。
【０００６】
これにより、ある部分エリアに他の部分エリアが重ねられると、一方の部分エリアのアンテナユニットによって他方の部分エリアのアンテナ用タグ装置からアンテナ識別情報が読み取られる。このようにして読み取られたアンテナ識別情報に基づいて、シート状の本体の部分エリアの重なり状態を認識することができる。
【０００７】
また、本発明のシート状デバイスでは、前記シート状の本体は、折畳み可能であり、前記制御ユニットは、前記本体が折り畳まれているときに、前記アンテナユニットにより読み取られた前記アンテナ識別情報に基づいて、前記本体の折畳み状態を認識する折畳み状態認識部を備えてもよい。
【０００８】
これにより、シート状の本体が折り畳まれて、ある部分エリアに他の部分エリアが重ねられると、一方の部分エリアのアンテナユニットによって他方の部分エリアのアンテナ用タグ装置からアンテナ識別情報が読み取られる。このようにして読み取られたアンテナ識別情報に基づいて、シート状の本体の折畳み状態を認識することができる。
【０００９】
また、本発明のシート状デバイスでは、前記シート状の本体は、前記本体を折り畳むことによって収納物を収納することが可能であり、前記収納物には、前記収納物を識別するための収納物識別情報を有する収納物用タグ装置が備えられており、前記制御ユニットは、前記本体に前記収納物が収納されているときに、前記アンテナユニットにより読み取られた前記アンテナ識別情報および前記収納物識別情報に基づいて、前記本体に前記収納物が収納された状態を認識する収納状態認識部を備えてもよい。
【００１０】
これにより、シート状の本体を折り畳んで収納物を収納すると、アンテナユニットによって、上記と同様にしてアンテナ用タグ装置からアンテナ識別情報が読み取られるとともに、収納物用タグ装置から収納物識別情報が読み取られる。このようにして読み取られたアンテナ識別情報と収納物識別情報に基づいて、シート状の本体に収納物が収納された状態を認識することができる。
【００１１】
また、本発明のシート状デバイスでは、前記シート状の本体は、前記本体を折り畳むことによって手さげ鞄の形状に変形することが可能であり、前記シート状の本体には、折り畳み状態のときに前記手さげ鞄の形状を保持するための手さげ形状保持部と、手さげ用の取手部が設けられてもよい。
【００１２】
これにより、シート状の本体を折り畳むと手さげ鞄の形状に変形することができ、手さげ形状保持部によりその形状を保持することができる。また、手さげ用の取手部を手で把持することにより、シート状デバイスに収納物を入れて容易に持ち運ぶことができる。このようにして、シート状デバイスを折り畳んで手さげ鞄として利用することができる。
【００１３】
また、本発明のシート状デバイスでは、前記シート情報の本体は、前記本体を折り畳むことによって肩掛け風呂敷の形状に変形することが可能であり、前記シート状の本体には、折り畳み状態のときに前記肩掛け風呂敷の形状を保持するための肩掛け形状保持部と、前記肩掛け風呂敷の形状の前記本体の両端を留める肩掛け用のストッパー部が設けられてもよい。
【００１４】
これにより、シート状の本体を折り畳むと肩掛け風呂敷の形状に変形することができ、肩掛け形状保持部によりその形状を保持することができる。また、肩掛け風呂敷の形状にした本体を襷がけにして、その本体の両端をストッパー部で留めることにより、シート状デバイスに収納物を入れて容易に持ち運ぶことができる。このようにして、シート状デバイスを折り畳んで肩掛け風呂敷として利用することができる。
【００１５】
また、本発明のシート状デバイスでは、前記シート状の本体は、前記本体を折り畳むことによって対象物を隠すことが可能であり、前記対象物には、前記対象物を識別するための対象物識別情報を有する対象物用タグ装置が備えられており、前記制御ユニットは、前記本体によって前記対象物が隠されているときに、前記アンテナユニットにより読み取られた前記アンテナ識別情報および前記対象物識別情報に基づいて、前記本体に前記対象物が隠された状態を認識する隠し状態認識部と、前記本体によって隠された前記対象物を取り出すためのユーザからの許可要求を受け付ける許可要求受付部と、前記本体によって隠された前記対象物が前記許可要求なく取り出されたときにアラームを通知するためのアラーム通知部と、を備えてもよい。
【００１６】
これにより、シート状の本体を折り畳んで対象物を隠すと、アンテナユニットによって、上記と同様にしてアンテナ用タグ装置からアンテナ識別情報が読み取られるとともに、対象物用タグ装置から対象物識別情報が読み取られる。このようにして読み取られたアンテナ識別情報と対象物識別情報に基づいて、シート状の本体に対象物が隠された状態を認識することができる。また、その対象物を、ユーザからの許可要求なく取り出そうとすると、アラームが通知される。これにより、第三者によって不正に対象物が取り出されるのを抑制することができる。
【発明の効果】
【００１７】
本発明によれば、シート状の本体の複数の部分エリアの各々にアンテナユニットを設け、その複数のアンテナユニットの各々にアンテナ用タグ装置を設けることにより、シート状の本体の状態を自己認識することができる。
【発明を実施するための最良の形態】
【００１８】
以下、本発明の実施の形態のシート状デバイスについて、図面を用いて説明する。
【００１９】
（第１の実施の形態）
本実施の形態では、シート状デバイスの基本的な構成および機能について、図１〜図３を用いて説明する。図１は、シート状デバイスの基本的な構成を示す説明図である。図１に示すように、シート状デバイス１は、シート状の本体２と制御ユニット３を備えている。シート状の本体２は、例えば布や不織布などの柔軟性を有する材料で四角形状に作られており、制御ユニット３は、例えばＣＰＵやメモリなどで構成されている。
【００２０】
図１に示すように、シート状の本体２は、Ａ〜Ｈの８つの部分エリア４に分割されており、部分エリア４の各々にはアンテナユニット５がそれぞれ設けられている。アンテナユニット５は、柔軟性を有する導電性不織布を材料として作られており、シート状の本体２に縫い付けられている。したがって、シート状の本体２は、十分な柔軟性を有しており、所望の形状に折り畳み可能である。
【００２１】
８つの部分エリア４は、シート状の本体２で互いに重ならないように、２行４列に配置されている。つまり、部分エリア４は、平面上で互いに異なる位置に配置されているともいえる。なお、図１では、説明の便宜のため、部分エリア４の数が８つの例が示されているが、部分エリア４の数はこれに限定されるものではない。
【００２２】
アンテナユニット５の各々にはアンテナ用タグ装置６がそれぞれ設けられており、アンテナ用タグ装置６には、各アンテナユニット５を識別するためのアンテナ識別情報が記憶されている。このアンテナ識別情報は、他の部分エリア４のアンテナユニット５によって読み取られ、各部分エリア４の重なり状態を認識するために用いられる。なお、アンテナ識別情報は、各アンテナ用タグ装置６のＩＤ情報をそのまま使用してもよく、別途設定したものを用いてもよい。アンテナ用タグ装置６としては、例えばＲＦＩＤタグなどが使用される。
【００２３】
アンテナユニット５は、それぞれ制御ユニット３に接続されており、各アンテナユニット５によって読み取られた情報が制御ユニット３へ送られるように構成されている。制御ユニット３は、アンテナユニット５が読み取ったアンテナ識別情報に基づいて、シート状の本体２の重なり状態や折畳み状態を認識する認識部７を備えている。この認識部７は、本発明の重なり状態認識部および折畳み状態認識部に相当するといえる。
【００２４】
以上のように構成されたシート状デバイス１について、図２および図３を用いてその動作を説明する。ここでは、まず、図２（ａ）〜（ｃ）を参照して、シート状の本体２の折り畳み状態を、制御ユニット３の認識部７が認識するときの動作について説明する。
【００２５】
図２（ａ）は、シート状の本体２の短辺を合わせるように二つ折りにした状態を示す図である。図２（ａ）に示すようにシート状の本体２を折り畳むと、部分エリアＡが部分エリアＤと重ねられる。その結果、部分エリアＡのアンテナユニット５が、部分エリアＤのアンテナ用タグ装置６のアンテナ識別情報を読み取り、部分エリアＤのアンテナユニット５が、部分エリアＡのアンテナ用タグ装置６のアンテナ識別情報を読み取ることになる。
【００２６】
同様に、部分エリアＢのアンテナユニット５が、部分エリアＣのアンテナ用タグ装置６のアンテナ識別情報を読み取り、部分エリアＣのアンテナユニット５が、部分エリアＢのアンテナ用タグ装置６のアンテナ識別情報を読み取る。また、部分エリアＥのアンテナユニット５が、部分エリアＨのアンテナ用タグ装置６のアンテナ識別情報を読み取り、部分エリアＨのアンテナユニット５が、部分エリアＥのアンテナ用タグ装置６のアンテナ識別情報を読み取る。さらに、部分エリアＦのアンテナユニット５が、部分エリアＧのアンテナ用タグ装置６のアンテナ識別情報を読み取り、部分エリアＧのアンテナユニット５が、部分エリアＦのアンテナ用タグ装置６のアンテナ識別情報を読み取る。
【００２７】
このようにして読み取られたアンテナ識別情報は、制御ユニット３の認識部７へ送られる。認識部７は、部分エリアＡ〜Ｈのアンテナユニット５からのアンテナ識別情報に基づいて、シート状の本体２の折り畳み状態を認識する。この場合、図２（ａ）のようにシート状の本体２が短辺を合わせるように二つ折りにされた状態であることが認識される。
【００２８】
図２（ｂ）は、シート状の本体２の長辺を合わせるように二つ折りにした状態を示す図である。図２（ｂ）に示すようにシート状の本体２を折り畳むと、部分エリアＡが部分エリアＥと重ねられる。その結果、部分エリアＡのアンテナユニット５が、部分エリアＥのアンテナ用タグ装置６のアンテナ識別情報を読み取り、部分エリアＥのアンテナユニット５が、部分エリアＡのアンテナ用タグ装置６のアンテナ識別情報を読み取ることになる。
【００２９】
同様に、部分エリアＢのアンテナユニット５が、部分エリアＦのアンテナ用タグ装置６のアンテナ識別情報を読み取り、部分エリアＦのアンテナユニット５が、部分エリアＢのアンテナ用タグ装置６のアンテナ識別情報を読み取る。また、部分エリアＣのアンテナユニット５が、部分エリアＧのアンテナ用タグ装置６のアンテナ識別情報を読み取り、部分エリアＧのアンテナユニット５が、部分エリアＣのアンテナ用タグ装置６のアンテナ識別情報を読み取る。さらに、部分エリアＤのアンテナユニット５が、部分エリアＨのアンテナ用タグ装置６のアンテナ識別情報を読み取り、部分エリアＨのアンテナユニット５が、部分エリアＤのアンテナ用タグ装置６のアンテナ識別情報を読み取る。
【００３０】
このようにして読み取られたアンテナ識別情報は、制御ユニット３の認識部７へ送られる。認識部７は、部分エリアＡ〜Ｈのアンテナユニット５からのアンテナ識別情報に基づいて、シート状の本体２の折り畳み状態を認識する。この場合、図２（ｂ）のようにシート状の本体２が長辺を合わせるように二つ折りにされた状態であることが認識される。
【００３１】
図２（ｃ）は、シート状の本体２を四つ折りにした状態を示す図である。図２（ｃ）に示すようにシート状の本体２を折り畳むと、部分エリアＡが部分エリアＤ、Ｅ、Ｈと重ねられる。その結果、部分エリアＡのアンテナユニット５が、部分エリアＤ、Ｅ、Ｈのアンテナ用タグ装置６のアンテナ識別情報を読み取り、部分エリアＤのアンテナユニット５が、部分エリアＡ、Ｅ、Ｈのアンテナ用タグ装置６のアンテナ識別情報を読み取ることになる。また、部分エリアＥのアンテナユニット５が、部分エリアＡ、Ｄ、Ｈのアンテナ用タグ装置６のアンテナ識別情報を読み取り、部分エリアＨのアンテナユニット５が、部分エリアＡ、Ｄ、Ｅのアンテナ用タグ装置６のアンテナ識別情報を読み取ることになる。
【００３２】
同様に、部分エリアＢのアンテナユニット５が、部分エリアＣ、Ｆ、Ｇのアンテナ用タグ装置６のアンテナ識別情報を読み取り、部分エリアＣのアンテナユニット５が、部分エリアＢ、Ｆ、Ｇのアンテナ用タグ装置６のアンテナ識別情報を読み取ることになる。また、部分エリアＦのアンテナユニット５が、部分エリアＢ、Ｃ、Ｇのアンテナ用タグ装置６のアンテナ識別情報を読み取り、部分エリアＧのアンテナユニット５が、部分エリアＢ、Ｃ、Ｆのアンテナ用タグ装置６のアンテナ識別情報を読み取ることになる。
【００３３】
このようにして読み取られたアンテナ識別情報は、制御ユニット３の認識部７へ送られる。認識部７は、部分エリアＡ〜Ｈのアンテナユニット５からのアンテナ識別情報に基づいて、シート状の本体２の折り畳み状態を認識する。この場合、図２（ｃ）のようにシート状の本体２が四つ折りにされた状態であることが認識される。
【００３４】
つづいて、図３を参照して、二つのシート状デバイス１が重ねられた状態を、制御ユニット３の認識部７が認識するときの動作について説明する。
【００３５】
図３は、二つのシート状デバイス１が部分的に重ねられた状態を示す図である。図３に示すように、部分エリアＡ〜Ｈを有するシート状デバイス１の上に、部分エリアａ〜ｈを有するシート状デバイス１の一部が重ねられると、部分エリアＦと部分エリアａが重ねられる。その結果、部分エリアＦのアンテナユニット５が、部分エリアａのアンテナ用タグ装置６のアンテナ識別情報を読み取り、部分エリアａのアンテナユニット５が、部分エリアＦのアンテナ用タグ装置６のアンテナ識別情報を読み取ることになる。
【００３６】
同様に、部分エリアＧのアンテナユニット５が、部分エリアｂのアンテナ用タグ装置６のアンテナ識別情報を読み取り、部分エリアｂのアンテナユニット５が、部分エリアＧのアンテナ用タグ装置６のアンテナ識別情報を読み取る。また、部分エリアＨのアンテナユニット５が、部分エリアｃのアンテナ用タグ装置６のアンテナ識別情報を読み取り、部分エリアｃのアンテナユニット５が、部分エリアＨのアンテナ用タグ装置６のアンテナ識別情報を読み取る。
【００３７】
このようにして読み取られたアンテナ識別情報は、制御ユニット３の認識部７へ送られる。認識部７は、部分エリアＡ〜Ｈのアンテナユニット５からのアンテナ識別情報に基づいて、シート状の本体２の重なり状態を認識する。この場合、図３のように他のシート状デバイス１と部分的に重ねられた状態であることが認識される。
【００３８】
このような本実施の形態のシート状デバイス１によれば、シート状の本体２の８つの部分エリアＡ〜Ｈの各々にアンテナユニット５を設け、その８つのアンテナユニット５の各々にアンテナ用タグ装置６を設けることにより、シート状の本体２の状態を自己認識することができる。
【００３９】
本実施の形態では、シート状の本体２が折り畳まれて、ある部分エリア４に他の部分エリア４が重ねられると、一方の部分エリア４のアンテナユニット５によって他方の部分エリア４のアンテナ用タグ装置６からアンテナ識別情報が読み取られる。このようにして読み取られたアンテナ識別情報に基づいて、シート状の本体２の折畳み状態を認識することができる。例えば、図２（ａ）〜（ｃ）に示すように、シート状デバイス１が様々な形状に折り畳まれたときに、シート状の本体２の折畳み状態を自己認識することができる。
【００４０】
また、本実施の形態では、二つのシート状デバイス１が重ねられて、ある部分エリア４に他の部分エリア４が重ねられると、一方の部分エリア４のアンテナユニット５によって他方の部分エリア４のアンテナ用タグ装置６からアンテナ識別情報がそれぞれ読み取られる。このようにして読み取られたアンテナ識別情報に基づいて、シート状の本体２の部分エリア４の重なり状態を認識することができる。例えば、図３に示すように、２枚のシート状デバイス１が重ねられたときに、シート状の本体２の部分エリア４の重なり状態を自己認識することができる。
【００４１】
図４は、シート状デバイス１の変形例を示す図である。図１に示した例では、シート状の本体２が四角形状であり、アンテナユニット５が２行４列に配置されたものについて説明したが、本発明の範囲はこれに限定されるものではない。例えば、図４に示すように、シート状の本体２は円形状であってもよく、アンテナユニット５は環状に配置されていてもよい。
【００４２】
（第２の実施の形態）
次に、本発明の第２の実施の形態のシート状デバイスを図５〜図１１を用いて説明する。本実施の形態では、図５に示すように、手さげ鞄として用いることができるシート状デバイス１０の場合を説明する。
【００４３】
図６は、本実施の形態のシート状デバイス１０の構成を示す説明図である。本実施の形態のシート状デバイス１０の主な構成は、第１の実施の形態とほぼ同様であるため、ここでは、第１の実施の形態と相違する点を中心に説明する。つまり、ここで特に言及しない限り、本実施の形態のシート状デバイス１０の構成は、第１の実施の形態と同様である。
【００４４】
本実施の形態のシート状デバイス１０は、シート状の本体２を折り畳むことによって収納物１１（例えば財布や携帯電話など）を収納することができるように構成されている。収納物１１には、収納物用タグ装置１２がそれぞれ取り付けられており（図６参照）、収納物用タグ装置１２には、その収納物１１を識別するための収納物識別情報が記憶されている。この収納物識別情報は、アンテナユニット５によって読み取られ、収納物１１が収納された状態を認識するために用いられる。収納物用タグ装置１２としては、例えばＲＦＩＤタグなどが使用される。
【００４５】
各アンテナユニット５によって読み取られた情報は、制御ユニット３へ送られる。制御ユニット３の認識部７は、アンテナユニット５が読み取ったアンテナ識別情報と収納物識別情報に基づいて、シート状の本体２に収納物１１が収納された状態を認識する。例えば、シート状の本体２に収納物１１が収納されているか否か、あるいは、収納されている収納物１１がどのような物であるかなどの状態を認識する。この認識部７は、本発明の収納状態認識部に相当するといえる。
【００４６】
図７は、折り畳み前のシート状デバイス１０の内側面を示す平面図であり、図8は、折り畳み前のシート状デバイス１０の外側面を示す平面図である。図７に示すように、シート状の本体２の内側面の略中央部には、収納物１１を収納するためのファスナー付きの収納ポケット１３が設けられている。
【００４７】
また、図8に示すように、シート状の本体２の外側面には、一対の手さげ用の取手部１４が設けられている。取手部１４のベース部１５には、マグネット（図示せず）が取り付けられており、シート状デバイス１０を折り畳み状態にしたときに、手さげ鞄の形状を保持することができる。このベース部１５が、本発明の手さげ形状保持部に相当する。
【００４８】
以上のように構成されたシート状デバイス１０を手さげ鞄として使用するときの動作について、図９〜図１１を用いて説明する。
【００４９】
本実施の形態のシート状デバイス１０を手さげ鞄として使用するときには、まず、図9に示すように、シート状の本体２の内側の中央部分に収納物１１（例えば財布など）を載せる。そして、図9において矢印で示すように、シート状の本体２の上部と下部を中央に向けて折り畳む。すなわち、シート状の本体２の上部と下部を、図9の破線に沿って谷折にする。
【００５０】
つぎに、図１０において矢印で示すように、シート状の本体２の左部と右部を中央に向けて折り畳む。すなわち、シート状の本体２の左部と右部を、図１０の破線に沿って谷折にする。この場合、図１０の破線の部分には、取手部１４のベース部１５が位置しており、シート状の本体２の左部と右部を折り畳んだ後、ベース部１５（図１０の破線の部分）を持ち上げるようにしてシート状の本体２を折り曲げる。
【００５１】
そして、ベース部１５を互いに付き合わせると、図１１に示すような手さげ鞄の形状への変形が完了する。この折り畳み状態で、取手部１４のベース部１５は、互いに磁力で引き付けあっており、手さげ鞄の形状が保持される。
【００５２】
このような本実施の形態のシート状デバイス１０では、シート状の本体２を折り畳んで収納物１１を収納すると、アンテナユニット５によって、第１の実施の形態と同様にしてアンテナ用タグ装置６からアンテナ識別情報が読み取られるとともに、収納物用タグ装置１２から収納物識別情報が読み取られる。このようにして読み取られたアンテナ識別情報と収納物識別情報に基づいて、シート状の本体２に収納物１１が収納された状態を認識することができる。例えば、シート状の本体２に収納物１１が収納されているか否か、あるいは、収納されている収納物１１がどのような物であるかなどの状態を認識することができる。
【００５３】
この場合、シート状の本体２を折り畳むと手さげ鞄の形状に変形することができ、手さげ形状保持部によりその形状を保持することができる。また、手さげ用の取手部１４を手で把持することにより、シート状デバイス１０に収納物１１を入れて容易に持ち運ぶことができる。このようにして、シート状デバイス１０を折り畳んで手さげ鞄として利用することができる。
【００５４】
（第３の実施の形態）
次に、本発明の第３の実施の形態のシート状デバイスを図１２〜図１８を用いて説明する。本実施の形態では、図１２に示すように、肩掛け風呂敷として用いることができるシート状デバイス２０の場合を説明する。
【００５５】
本実施の形態のシート状デバイス２０の主な構成は、第２の実施の形態とほぼ同様であるため、ここでは、第２の実施の形態と相違する点を中心に説明する。つまり、ここで特に言及しない限り、本実施の形態のシート状デバイス２０の構成は、第２の実施の形態と同様である。
【００５６】
図１３は、折り畳み前のシート状デバイス２０の内側面を示す平面図であり、図１４は、折り畳み前のシート状デバイス２０の外側面を示す平面図である。図１３に示すように、シート状の本体２の内側面には、内布部２１が設けられている。つまり、シート状の本体２の内側面は、二層構造になっているともいえる。そして、シート状の本体２の内布部２１の略中央部には、収納物１１を収納するためのファスナー付きの収納ポケット２２が設けられている。
【００５７】
また、図１４に示すように、シート状の本体２の外側面の下部には、ゴムリング２３が設けられている。ゴムリング２３には、ゴムリング２３を係止するための係止部２４が設けられており、シート状デバイス２０を折り畳み状態にしたときに、肩掛け風呂敷の形状を保持することができる。このゴムリング２３および係止部２４が、本発明の肩掛け形状保持部に相当する。
【００５８】
また、シート状の本体２の外側面の左右両端部には、一対のストッパー部２５が設けられている。ストッパー部２５の先端には、互いに係合する係合部が設けられており、図１２に示すように、肩掛け風呂敷の形状のシート状デバイス２０をユーザが肩に掛けた状態で、本体２の両端を留めることができる。
【００５９】
以上のように構成されたシート状デバイス２０を肩掛け風呂敷として使用するときの動作について、図１５〜図１８を用いて説明する。
【００６０】
本実施の形態のシート状デバイス２０を肩掛け風呂敷として使用するときには、まず、図１５に示すように、シート状の本体２の内側の中央部分に収納物１１（例えば財布など）を載せる。そして、図１５において矢印で示すように、シート状の本体２の内布部２１の左部と右部を中央に向けて折り畳む。すなわち、シート状の本体２の内布部２１の左部と右部を、図１５の破線に沿って谷折にする。
【００６１】
つぎに、図１６において矢印で示すように、シート状の本体２の上部を中央に向けて折り畳んだ後、シート状の本体２の下部を中央に向けて折り畳むようにして巻きつける。すなわち、シート状の本体２の上部を、図１０の破線に沿って谷折にした後、シート状の本体２の下部を、図１０の破線に沿って谷折にするようにして巻きつける。
【００６２】
そして、図１７に示すように、ゴムリング２３を本体２に巻きつけた後、係止部２４に係止させて、肩掛け風呂敷の形状への変形が完了する。この折り畳み状態で、ゴムリング２３は係止部２４に係止しており、肩掛け風呂敷の形状が保持される。このようにして肩掛け風呂敷の形状にしたシート状デバイス２０を肩に掛けた後、ストッパー部２５の係合部を互いに係合させて、図１８に示すように本体２の両端を留める。
【００６３】
このような本実施の形態のシート状デバイス２０によっても、第２の実施の形態と同様の作用効果を奏することができる。
【００６４】
この場合、シート状の本体２を折り畳むと肩掛け風呂敷の形状に変形することができ、肩掛け形状保持部によりその形状を保持することができる。また、肩掛け風呂敷の形状にした本体２を襷がけにして、その本体２の両端をストッパー部２５で留めることにより、シート状デバイス２０に収納物１１を入れて容易に持ち運ぶことができる。このようにして、シート状デバイス２０を折り畳んで肩掛け風呂敷として利用することができる。
【００６５】
（第４の実施の形態）
次に、本発明の第４の実施の形態のシート状デバイスを図１９〜図２１を用いて説明する。本実施の形態では、シート状の本体２を折り畳むことによって対象物３１（例えば財布など）を隠すことができるシート状デバイス３０の場合を例示する。
【００６６】
図１９は、本実施の形態のシート状デバイス３０の構成を示す説明図である。本実施の形態のシート状デバイス３０の主な構成は、第１の実施の形態とほぼ同様であるため、ここでは、第１の実施の形態と相違する点を中心に説明する。つまり、ここで特に言及しない限り、本実施の形態のシート状デバイス３０の構成は、第１の実施の形態と同様である。
【００６７】
図２０に示すように、本実施の形態のシート状デバイス３０は、シート状の本体２を折り畳むことによってシート状の本体２を折り畳むことによって対象物３１（例えば財布など）を隠すことができるように構成されている。対象物３１には、対象物用タグ装置３２が取り付けられており（図１９参照）、対象物用タグ装置３２には、その対象物３１を識別するための対象物識別情報が記憶されている。この対象物識別情報は、アンテナユニット５によって読み取られ、対象物３１が収納された状態を認識するために用いられる。対象物用タグ装置３２としては、例えばＲＦＩＤタグなどが使用される。
【００６８】
各アンテナユニット５によって読み取られた情報は、制御ユニット３へ送られる。制御ユニット３の認識部７は、アンテナユニット５が読み取ったアンテナ識別情報と対象物識別情報に基づいて、シート状の本体２に対象物３１が収納された状態を認識する。例えば、シート状の本体２に対象物３１が隠されているか否か、あるいは、隠されている対象物３１がどのような物であるかなどの状態を認識する。この認識部７は、本発明の隠し状態認識部に相当するといえる。
【００６９】
また、図１９に示すように、制御ユニット３は、隠された対象物３１を取り出すためのユーザからの許可要求を受け付ける許可要求受付部３３を備えている。ユーザからの許可要求は、例えばパーソナルコンピュータなどの外部装置から制御ユニット３へ送られる。
【００７０】
また、制御ユニット３は、隠された対象物３１が許可要求なく取り出されたときにアラームを通知するためのアラーム通知部３４を備えている。例えば、第三者によって不正に対象物３１が取り出された場合には、アラーム通知部３４によって光や音などによるアラームが発せられる。
【００７１】
以上のように構成されたシート状デバイス３０を使用して対象物３１を隠したときの動作について、図２１を用いて説明する。
【００７２】
本実施の形態のシート状デバイス３０に対象物３１を載せると、シート状の本体２のアンテナユニット５が対象物用タグ装置３２の対象物識別情報を読み取って、対象物３１の有無および対象物３１がどのような物であるかが認識される（Ｓ１）。そして、シート状デバイス３０を折り畳んで対象物３１を隠すと、シート状の本体２のアンテナユニット５がアンテナ用タグ装置６のアンテナ識別情報を読み取って、シート状の本体２が折り畳まれたことが認識される（Ｓ２）。
【００７３】
その後、ユーザがパーソナルコンピュータ等からシート状デバイス３０へロック要求を送信すると、シート状デバイス３０はロック要求を受け付けて（Ｓ３）、取り出しロック状態になる。
【００７４】
その後、折り畳まれたシート状デバイス３０を開いて対象物３１が取り出されると、アンテナユニット５によって取り出しが検出される（Ｓ４）。具体的には、アンテナユニット５によって読み取られていたアンテナ識別情報や対象物識別情報の内容の変化を検出することにより、対象物３１が取り出されたことを検出する。
【００７５】
対象物３１が取り出されたことが検出されると、ユーザからの許可要求の有無が判断される（Ｓ５）。ユーザからの許可要求があった場合には、アラームを通知することなく、取り出しロックを解除する（Ｓ６）。一方、ユーザからの許可要求がなかった場合には、光や音などによるアラームを通知する（Ｓ７）。
【００７６】
このような本実施の形態のシート状デバイス３０では、シート状の本体２を折り畳んで対象物３１を隠すと、アンテナユニット５によって、第１の実施の形態と同様にしてアンテナ用タグ装置６からアンテナ識別情報が読み取られるとともに、対象物用タグ装置３２から対象物識別情報が読み取られる。このようにして読み取られたアンテナ識別情報と対象物識別情報に基づいて、シート状の本体２に対象物３１が隠された状態を認識することができる。例えば、シート状の本体２に対象物３１が隠されているか否か、あるいは、隠されている対象物３１がどのような物であるかなどの状態を認識することができる。
【００７７】
また、本実施の形態では、その対象物３１を、ユーザからの許可要求なく取り出そうとすると、光や音などによるアラームが通知される。これにより、第三者によって不正に対象物３１が取り出されるのを抑制することができる。
【００７８】
以上、本発明の実施の形態を例示により説明したが、本発明の範囲はこれらに限定されるものではなく、請求項に記載された範囲内において目的に応じて変更・変形することが可能である。
【産業上の利用可能性】
【００７９】
以上のように、本発明にかかるシート状デバイスは、シート状の本体の状態を自己認識することができるという効果を有し、例えば手さげ鞄や肩掛け風呂敷等として用いることができ、有用である。
【図面の簡単な説明】
【００８０】
【図１】第１の実施の形態のシート状デバイスの構成を示す説明図である。
【図２】（ａ）シート状デバイスを二つ折りにした状態を示す図である。  （ｂ）シート状デバイスを二つ折りにした状態を示す図である。  （ｃ）シート状デバイスを四つ折りにした状態を示す図である。
【図３】二つのシート状デバイスを部分的に重ねた状態を示す図である。
【図４】シート状デバイスの変形例を示す説明図である。
【図５】第２の実施の形態のシート状デバイス（手さげ鞄形状のシート状デバイス）の一例を示す図である。
【図６】第２の実施の形態のシート状デバイスの構成を示す説明図である。
【図７】折り畳み前のシート状デバイスの内側面を示す平面図である。
【図８】折り畳み前のシート状デバイスの外側面を示す平面図である。
【図９】シート状デバイスの折り畳み手順を示す説明図である。
【図１０】シート状デバイスの折り畳み手順を示す説明図である。
【図１１】折り畳み後のシート状デバイスの斜視図である。
【図１２】第３の実施の形態のシート状デバイス（肩掛け風呂敷形状のシート状デバイス）の一例を示す図である。
【図１３】折り畳み前のシート状デバイスの内側面を示す平面図である。
【図１４】折り畳み前のシート状デバイスの外側面を示す平面図である。
【図１５】シート状デバイスの折り畳み手順を示す説明図である。
【図１６】シート状デバイスの折り畳み手順を示す説明図である。
【図１７】シート状デバイスの折り畳み手順を示す説明図である。
【図１８】折り畳み後のシート状デバイスの斜視図である。
【図１９】第４の実施の形態のシート状デバイスの構成を示す説明図である。
【図２０】シート状デバイスで対象物を隠した状態を示す図である。
【図２１】シート状デバイスの動作を説明するためのフロー図である。
【符号の説明】
【００８１】
１  シート状デバイス
２  シート状の本体
３  制御ユニット
４  部分エリア
５  アンテナユニット
６  アンテナ用タグ装置
７  認識部
１０  シート状デバイス
１１  収納物
１２  収納物用タグ装置
１４  取手部
１５  ベース部
２０  シート状デバイス
２３  ゴムリング
２４  係止部
２５  ストッパー部
３０  シート状デバイス
３１  対象物
３２  対象物用タグ装置
３３  許可要求受付部
３４  アラーム通知部
【図１】
2009159436.tif 000003
【図２】
2009159436.tif 000004
【図３】
2009159436.tif 000005
【図４】
2009159436.tif 000006
【図５】
2009159436.tif 000007
【図６】
2009159436.tif 000008
【図７】
2009159436.tif 000009
【図８】
2009159436.tif 000010
【図９】
2009159436.tif 000011
【図１０】
2009159436.tif 000012
【図１１】
2009159436.tif 000013
【図１２】
2009159436.tif 000014
【図１３】
2009159436.tif 000015
【図１４】
2009159436.tif 000016
【図１５】
2009159436.tif 000017
【図１６】
2009159436.tif 000018
【図１７】
2009159436.tif 000019
【図１８】
2009159436.tif 000020
【図１９】
2009159436.tif 000021
【図２０】
2009159436.tif 000022
【図２１】
2009159436.tif 000023